(57)【要約】【課題】  ステレオヘッドホン挿入時に常時消費される電流を低減可能なヘッドホン検出方法を提供する。【解決手段】  ヘッドホン検出部はコネクタ部へのヘッドホンの挿抜が行われると、ステップＳ２にてヘッドホン検出信号のレベル変化を検出し、ＣＰＵに対して挿抜イベントの発生を通知する。ヘッドホン検出部はステップＳ３にてヘッドホンの検出信号のレベルによって、ヘッドホンの挿入または抜去を判定する。ヘッドホン検出部はヘッドホンの挿入と判定すると、ステップＳ４にてヘッドホンのステレオ／モノラル判別を行う。ヘッドホン検出部はヘッドホンをステレオヘッドホンと判別すると、ステップＳ５にてその判別結果をＣＰＵに通知し、スイッチング部にてステレオ／モノラル判別信号を外部入力（ＧＮＤ）から切離す。【選択図】      図２
2008136009.tif 000002
【特許請求の範囲】
【請求項１】
ヘッドホンの自装置への挿入検出及び当該ヘッドホンのステレオ／モノラル判別を行う判別回路を含む携帯電話機であって、
前記ステレオ／モノラル判別用の端子の接続の回路構成を、前記ヘッドホンが前記ステレオであることを判別した後に前記ステレオ／モノラル判別用の端子を経て流れる電流を遮断するよう構成したことを特徴とする携帯電話機。
【請求項２】
前記ヘッドホンのプラグが接続される本体のコネクタの前記挿入検出用及び当該ヘッドホンのステレオ／モノラル判別用の検出端子に接続されたプルアップ抵抗と、前記コネクタに前記ヘッドホンのプラグが挿入された時に前記検出端子を接地する手段と、前記コネクタに前記ヘッドホンのプラグが挿入された時に電源から前記プルアップ抵抗及び前記ステレオ／モノラル判別用の検出端子を経てグランドへの電流を遮断する電流遮断手段とを含み、
前記判別回路が前記ヘッドホンの挿入を検出し、そのヘッドホンがステレオヘッドホンであることを判別した後に前記電流遮断手段にて前記プルアップ抵抗を経る電流を遮断することを特徴とする請求項１記載の携帯電話機。
【請求項３】
前記電流遮断手段を前記判別回路と前記ステレオ／モノラル判別用の検出端子との間に配設したことを特徴とする請求項２記載の携帯電話機。
【請求項４】
前記電流遮断手段を前記判別回路と前記ステレオ／モノラル判別用の検出端子とを接続する信号線と前記プルアップ抵抗との間に配設したことを特徴とする請求項２記載の携帯電話機。
【請求項５】
ヘッドホンの自装置への挿入検出及び当該ヘッドホンのステレオ／モノラル判別を行う判別回路を含む携帯電話機に用いるヘッドホン検出方法であって、
前記ステレオ／モノラル判別用の端子の接続の回路構成を、前記ヘッドホンが前記ステレオであることを判別した後に当該端子を経て流れる電流を遮断するようにしたことを特徴とするヘッドホン検出方法。
【請求項６】
前記ヘッドホンのプラグが接続される本体のコネクタの前記挿入検出用及び当該ヘッドホンのステレオ／モノラル判別用の検出端子に接続されたプルアップ抵抗を設け、前記コネクタに前記ヘッドホンのプラグが挿入された時に前記検出端子を接地することで前記ヘッドホンの挿入を検出し、そのヘッドホンがステレオヘッドホンであることを判別した後に、前記コネクタに前記ヘッドホンのプラグが挿入された時に電源から前記プルアップ抵抗及び前記ステレオ／モノラル判別用の検出端子を経てグランドへの電流を遮断する電流遮断手段にて前記プルアップ抵抗を経る電流を遮断することを特徴とする請求項５記載のヘッドホン検出方法。
【請求項７】
前記電流遮断手段を前記判別回路と前記ステレオ／モノラル判別用の検出端子との間に配設したことを特徴とする請求項６記載のヘッドホン検出方法。
【請求項８】
前記電流遮断手段を前記判別回路と前記ステレオ／モノラル判別用の検出端子とを接続する信号線と前記プルアップ抵抗との間に配設したことを特徴とする請求項６記載のヘッドホン検出方法。
【発明の詳細な説明】
【技術分野】
【０００１】
本発明は携帯電話機及びそれに用いるヘッドホン検出方法に関し、特に携帯電話機に挿入されるヘッドホンの検出方法に関する。
【背景技術】
【０００２】
従来、携帯電話機においては、図４に示すように、ヘッドホンのプラグ７を携帯電話機４のコネクタ４２に挿入することで接続している。この場合には、コネクタ４２の検出端子にプルアップ抵抗４３，４４が用意され、ヘッドホンのプラグ５がコネクタ４２に挿入された時にＧＮＤ（ｇｒｏｕｎｄ）接続される構成によって、ヘッドホン挿入の検出を行っている。また、ヘッドホンのステレオ／モノラル判定も、上記と同様の構成によって実現される。
【０００３】
この構成では、プルアップされた検出端子に対して、ＧＮＤ接続されることによって、常時電流の消費が発生するため、ステレオヘッドホンが挿入された場合には、モノラルヘッドホン挿入時と比較して、消費電流が多くなる。
【０００４】
尚、図４において、プルアップ抵抗４３は内部ＬＳＩ（大規模集積回路）４１とコネクタ４２の検出端子とを結ぶヘッドホン検出信号の信号線に接続され、プルアップ抵抗４４は内部ＬＳＩ４１とコネクタ４２の検出端子とを結ぶステレオ／モノラル判別信号の信号線に接続されており、それぞれ電源（Ｖｄｄ）４５に接続されている。
【０００５】
携帯電話機以外に使用されるイヤホンの接続状態を検出する方法としては、以下の特許文献１に記載された方法がある。
【特許文献１】特開２００１−２６６５６３号公報
【発明の開示】
【発明が解決しようとする課題】
【０００６】
上述した従来の携帯電話機では、ヘッドホンの挿入を検出端子にて観測される電圧レベルまたはレベルの変化を用いて検出する方法が一般的に使用されている。ヘッドホンの挿入を検出する検出回路は、携帯電話機側にてプルアップ抵抗が接続された検出端子と、ヘッドホン側でＧＮＤに接続された端子にて構成されている。
【０００７】
この構成の場合には、図４に示すように、ヘッドホン挿入時に、プルアップ抵抗を介して、定常的に電流消費が発生し、またステレオ／モノラル判定に関しても、上記のヘッドホンの挿入を検出する場合と同様に、定常的に電流消費が発生する。そのため、ステレオヘッドホンが挿入された場合には、モノラルヘッドホン挿入時と比較して、消費電流が多くなるという課題がある。
【０００８】
そこで、本発明の目的は上記の問題点を解消し、ステレオヘッドホン挿入時に常時消費される電流を低減させることができる携帯電話機及びそれに用いるヘッドホン検出方法を提供することにある。
【課題を解決するための手段】
【０００９】
本発明による携帯電話機は、ヘッドホンの自装置への挿入検出及び当該ヘッドホンのステレオ／モノラル判別を行う判別回路を含む携帯電話機であって、
前記ステレオ／モノラル判別用の端子の接続の回路構成を、前記ヘッドホンが前記ステレオであることを判別した後に前記ステレオ／モノラル判別用の端子を経て流れる電流を遮断するよう構成している。
【００１０】
本発明によるヘッドホン検出方法は、ヘッドホンの自装置への挿入検出及び当該ヘッドホンのステレオ／モノラル判別を行う判別回路を含む携帯電話機に用いるヘッドホン検出方法であって、
前記ステレオ／モノラル判別用の端子の接続の回路構成を、前記ヘッドホンが前記ステレオであることを判別した後に当該端子を経て流れる電流を遮断するようにしている。
【００１１】
すなわち、本発明の携帯電話機は、ヘッドホンの挿入検出において、ステレオ／モノラル判別用端子の接続等の回路構成を制御することによって、ステレオヘッドホン挿入時に常時消費される電流を低減させることを可能としている。
【００１２】
より具体的に説明すると、本発明の携帯電話機では、ヘッドホンの挿入検出、ステレオ／モノラル判別を行う判別回路に、ヘッドホンのプラグが接続される本体のコネクタの検出端子に接続されたプルアップ抵抗と、コネクタにヘッドホンのプラグが挿入された時に検出端子を接地する手段と、コネクタにヘッドホンのプラグが挿入された時に電源からプルアップ抵抗、検出端子を経てグランドへの電流を遮断する電流遮断手段とを設けている。
【００１３】
本発明の携帯電話機では、判別回路がヘッドホンの挿入を検出し、そのヘッドホンがステレオヘッドホンであることを判別した後に、電流遮断手段にてプルアップ抵抗を経る電流を遮断することによって、ステレオヘッドホン挿入時に常時消費される電流を低減させることが可能となる。
【発明の効果】
【００１４】
本発明は、上記のような構成及び動作とすることで、ステレオヘッドホン挿入時に常時消費される電流を低減させることができるという効果が得られる。
【発明を実施するための最良の形態】
【００１５】
次に、本発明の実施例について図面を参照して説明する。図１は本発明の一実施例による携帯電話機におけるヘッドホンインタフェース部の構成を示すブロック図である。図１において、携帯電話機におけるヘッドホンインタフェース部はヘッドホン制御部２と、ヘッドホンのコネクタ部３とから構成されている。
【００１６】
ヘッドホン制御部２はＬＳＩ（大規模集積回路）等で構成され、携帯電話機全体の動作を司るＣＰＵ（中央処理装置）１に接続されており、ヘッドホン検出部２１と、オーディオ部２２と、スイッチング部２３と、プルアップ抵抗２４，２５と、電源（Ｖｄｄ）２６とを備えている。
【００１７】
ヘッドホン検出部２１は、図示せぬヘッドホンの挿入検出とステレオ／モノラル判別とを行う。オーディオ部２２は、ヘッドホンのレシーバ（図示せず）及びマイク（図示せず）の音声信号の処理を行う。
【００１８】
ヘッドホンのコネクタ部３には、ヘットホン検出信号用の検出端子と、ステレオ／モノラル判別信号用の検出端子と、マイク信号用の端子と、レシーバ信号（Ｌ・ｃｈ）用の端子と、レシーバ信号（Ｒ・ｃｈ）用の端子と、ＧＮＤ（ｇｒｏｕｎｄ）端子とを備えている。尚、コネクタ部３の端子については、本実施例に必要な信号及び代表信号を記載したものであり、その信号の構成については限定しない。
【００１９】
ヘッドホン制御部２は携帯電話機全体の動作を司るＣＰＵ１によって制御され、ＣＰＵ１はヘッドホンからの検出信号に応じて、オーディオ部２２の内部パスの切替え、オーディオレベルの制御等を行う。また、ヘッドホン検出部２１において、ヘッドホン検出信号及びステレオ／モノラル判別信号にはそれぞれプルアップ抵抗２４，２５が用意されており、スイッチング部２３においてステレオ／モノラル判別信号の接続を変更することが可能な構成（本実施例においては、外部入力と切離すことが可能な構成）としている。
【００２０】
図２は本発明の一実施例による携帯電話機におけるヘッドホンインタフェース部の動作を示すフローチャートである。これら図１及び図２を参照して本発明の一実施例による携帯電話機におけるヘッドホンインタフェース部の動作について説明する。尚、図２に示す処理はＣＰＵ１がプログラムを実行することでも、あるいは制御用ＬＳＩ及び制御用ファームウェアによっても実現可能である。
【００２１】
ヘッドホン制御部２のヘッドホン検出部２１はコネクタ部３へのヘッドホンの挿抜が行われると（図２ステップＳ１）、ヘッドホン検出信号のレベル変化を検出し、ＣＰＵ１に対して挿抜イベントの発生を通知する（図２ステップＳ２）。
【００２２】
ヘッドホン検出部２１はヘッドホンの検出信号のレベルによって、ヘッドホンの挿入または抜去を判定する（図２ステップＳ３）。ヘッドホン検出部２１はヘッドホンの挿入と判定すると、ヘッドホンのステレオ／モノラル判別を行う（図２ステップＳ４）。
【００２３】
ヘッドホン検出部２１はヘッドホンをステレオヘッドホンと判別すると、その判別結果をＣＰＵ１に通知し、スイッチング部２３によってステレオ／モノラル判別信号を外部入力（ＧＮＤ）から切離す（図２ステップＳ５）。
【００２４】
一方、ヘッドホン検出部２１はヘッドホンの抜去と判定すると、スイッチング部２３によってステレオ／モノラル判別信号を外部入力と接続する（図２ステップＳ６）。
【００２５】
このように、本実施例では、携帯電話機におけるヘッドホンの検出において、ヘッドホンの検出時にステレオ／モノラル判別端子の接続等の回路構成を制御することによって、ステレオヘッドホン挿入時にステレオ判別のためだけに常時消費する電流を低減することができる。
【００２６】
図３は本発明の他の実施例による携帯電話機におけるヘッドホンを検出する部位の構成を示すブロック図である。図３において、本発明の他の実施例では、ヘッドホン検出部２１に接続するヘッドホン検出信号用の信号線上のスイッチング部２３をなくし、その信号線に電源（Ｖｄｄ）２６を接続する途中にスイッチング部２７を設けている。
【００２７】
つまり、本実施例は、上記の本発明の一実施例におけるスイッチング部２３によるスイッチング箇所を、スイッチング部２７によるスイッチング箇所へと変更した以外は、上述した本発明の一実施例と同様の構成及び動作となっている。
【００２８】
これによって、本実施例では、検出端子にプルアップ抵抗が接続され、ＧＮＤ接続されることによって、事象の変化の検出を行う端子を複数持つ回路に適用することができる。
【図面の簡単な説明】
【００２９】
【図１】本発明の一実施例による携帯電話機におけるヘッドホンインタフェース部の構成を示すブロック図である。
【図２】本発明の一実施例による携帯電話機におけるヘッドホンインタフェース部の動作を示すフローチャートである。
【図３】本発明の他の実施例による携帯電話機におけるヘッドホンを検出する部位の構成を示すブロック図である。
【図４】従来の携帯電話機におけるヘッドホンインタフェース部の構成を示すブロック図である。
【符号の説明】
【００３０】
１  ＣＰＵ
２  ヘッドホン制御部
３  ヘッドホンのコネクタ部
２１  ヘッドホン検出部
２２  オーディオ部
２３，２７  スイッチング部
２４，２５  プルアップ抵抗
２６  電源（Ｖｄｄ）
【図１】
2008136009.tif 000003
【図２】
2008136009.tif 000004
【図３】
2008136009.tif 000005
【図４】
2008136009.tif 000006